(57)【特許請求の範囲】
【請求項１】
ＣＤ，ＤＶＤ等の記録媒体を収納した貸出しケース、又はコミック雑誌等の物品上端部を上方へ突出した状態で収容するレンタル用カバーケースにおいて、該レンタル用カバーケースは薄い透明なシートを折り曲げて成形した長方形の筒形胴体部と該胴体部の下端に嵌って取付けられた台座から成り、そして胴体部には該胴体部と同形状の表紙保持ケースを嵌めて背面部にて固定されると共に、表紙が挿入できるように胴体部と表紙保持ケースの間には僅かな隙間を形成し、さらに表紙保持ケースの両側面部上端に凸部を形成して胴体部の側面部上端から該凸部を上方へ突出し、表紙の正面側を上記隙間に挿入し易くする為に、表紙保持ケース側面部の上端部表面側を滑らかな円弧又は斜めに切欠いたことを特徴とするレンタル用カバーケース。
【請求項２】
ＣＤ，ＤＶＤ等の記録媒体を収納した貸出しケース、又はコミック雑誌等の物品上端部を上方へ突出した状態で収容するレンタル用カバーケースにおいて、該レンタル用カバーケースは薄い透明なシートを折り曲げて成形した長方形の筒形胴体部と該胴体部の下端に嵌って取付けられた台座から成り、そして胴体部には該胴体部と同形状の表紙保持ケースを嵌めて背面部にて固定されると共に、表紙が挿入できるように胴体部と表紙保持ケースの間には僅かな隙間を形成し、さらに胴体部の側面部上端の一部を切欠いた切欠き部を設けて表紙保持ケースの側面部上端より低くし、表紙の正面側を上記隙間に挿入し易くする為に、表紙保持ケース側面部の上端部表面側を滑らかな円弧又は斜めに切欠いたことを特徴とするレンタル用カバーケース。
【請求項３】
上記台座の背面側に背板を起立してＬ形とし、そして上記胴体部及び表紙保持ケースをコ形断面として両側面部先端を背板に溶着して固定した請求項１、又は請求項２記載のレンタル用カバーケース。
【請求項４】
表紙保持ケースの下端部に台座を形成した請求項１、請求項２記載のレンタル用カバーケース。
【請求項５】
上記表紙をコ形断面とした請求項１、請求項２、請求項３、又は請求項４記載のレンタル用カバーケース。
【請求項６】
上記表紙をＬ形断面とした請求項１、請求項２、請求項３、又は請求項４記載のレンタル用カバーケース。
【発明の詳細な説明】
【技術分野】
【０００１】
本発明はコミックなどの雑誌、ビデオテープ、ＣＤ，ＤＶＤ等の記録媒体等をレンタルショップの陳列棚に配列してレンタルする為のレンタル用カバーケースに関するものである。
【背景技術】
【０００２】
音楽や映像を記録したＣＤ，ＤＶＤ等の円盤状記録媒体(ディスク)、ビデオテープが貸出しケースに収納された状態でレンタルされる。そして、該貸出しケースはレンタル用カバーケースに入れられてレンタルショップの陳列棚に配列されている。図１９は従来から周知であるビデオテープのレンタル形態を示している場合であるが、レンタル用カバーケース(イ)には上端が開口していて、この上端開口からビデオテープを収納している貸出しケース(ロ)が収容されている。この場合、貸出しケース(ロ)の上端部はレンタル用カバーケース(イ)から上方へ突出している。
【０００３】
ところで、上記レンタル用カバーケース(イ)は樹脂を材質として射出成形されるが、図２０は該レンタル用カバーケース(イ)の展開図を示している。レンタル用カバーケース(イ)はケース本体(ハ)、ケース蓋(ニ)、及び繋ぎ部(ホ)から成って、ケース蓋(ニ)をケース本体(ハ)に被覆して閉じることで箱型容器となり、上端開口から貸出しケース(ロ)が収容され得る。そして、ケース本体(ハ)の底部には貸出しケース(ロ)が載って支持される底板(ヘ)が取付けられている。
【０００４】
該レンタル用カバーケース(イ)は射出成形され、外表面には表紙を挿入する為の透明シートが熱溶着されている。レンタル用カバーケース(イ)を所定の寸法・形状に射出成形する為には、成形用の金型が必要であり、該成形金型の製作費は高く、製品となるレンタル用カバーケースに上乗せされる。勿論、成形されたレンタル用カバーケースはその肉厚は厚くて丈夫であるが、その分だけ幅寸法は大きくなり、陳列棚に配列されるレンタル用カバーケース(イ)、(イ)・・の個数は少なくなる。
【０００５】
最近では、ＣＤやＤＶＤ等の他にコミック雑誌のレンタルも行われ、貸出しケース(ロ)の代わりにコミック雑誌をレンタル用カバーケース（イ）に上端部を突出した状態で挿入している。出願人は平成１５年３月１４日付けで薄いシートにて胴体部を形成したレンタル用カバーケースの出願を行っている（特開２００４−２７６９４７）。
【０００６】
このレンタル用カバーケースは、「ＣＤ，ＤＶＤ等の記録媒体を収納した貸出しケース、又は雑誌等の物品上端部を上方へ突出した状態で収容するレンタル用カバーケースにおいて、該レンタル用カバーケースは胴体部と台座から成り、胴体部は所定形状に裁断した板材を折り曲げた筒体であり、該胴体部に樹脂の成形品である上記台座を取着して構成している。」
薄いシートを折り曲げた胴体部の下端に成形された台座が嵌って取付けられることで、ケース全体の強度・剛性が高くなり、しかも転倒することなく安定して起立することが出来る。又、表紙は胴体部の内側に挿入されるが、胴体上端に折返し耳部に係止して外れることはない。胴体部を構成するシートは０．３〜０．５ｍｍ程度であり、収容される貸出しケースとの間に大きな隙間を残すことなく製作することで、同一サイズの陳列棚には多数のレンタル用カバーケースを配列することが出来る。
【０００７】
実用新案登録第２５７５５８２号に係る「商品展示用ケース」は、ケース本体を透明な合成樹脂によって形成し、このケース本体の一面に、商品の出し入れ用の開口を設け、この開口縁に、ケース本体の内面に沿わせた表紙の裏面側に少なくとも一部が重なる折り返し片を連設した形態としている。すなわち、透明なケース本体の内面に表紙を保持することができるので、表紙の入れ替え作業を極めて簡単に行うことができる。
【０００８】
しかし、この商品展示用ケースを使用してコミックをその上端部が開口から突出する状態で収容する場合、表紙は別に製作して上端の折り返し片に係止するか、又は上端部又は下端部の一部を裁断しなくては成らない。あるいは、ケース本体の底にコミックが載る台座を嵌めて底上げ状態とし、表紙は台座に載らないような形態としなくてはならない。
【０００９】
ところで、表紙をケースに入れてセットする場合、表紙の上端部は折り返し片に係止し、又表紙下端部は台座外周とケース本体との隙間に嵌入して取付けられる。しかし、表紙の上端部と下端部以外の領域ではケース本体に密着せずして間に隙間が残り、表記されている文字や模様がはっきり見えない場合が生じる。一方、表紙は本体ケースに挿入してから上端から延びる折り返し片をケース本体内に折り曲げられるが、表紙を交換する際には非常に面倒である。
【特許文献１】特開２００４−２７６９４７号に係る「レンタル用カバーケース」
【特許文献２】実用新案登録第２５７５５８２号に係る「商品展示用ケース」
【発明の開示】
【発明が解決しようとする課題】
【００１０】
このように、従来のレンタル用カバーケースには上記のごとき問題がある。本発明が解決しようとする課題はこの問題点であり、表紙の取付け・取外し作業を簡単に行うことが出来、又セットされた表紙はケース本体内面と隙間なく密着することで、該表紙の文字や模様などがはっきり見ることが出来るレンタル用カバーケースを提供する。
【課題を解決するための手段】
【００１１】
本発明に係るレンタル用カバーケースは、薄い透明なシートから成る筒状の胴体部と該胴体部の下端に嵌って取付けられる台座、及び胴体部の内側に設けている表紙保持ケースの３ピースで構成している。上記胴体部と表紙保持ケースとの間には僅かな隙間を形成し、この隙間に表紙が挿入される。
【００１２】
ここで、上記台座の胴体部下端への取付け構造は特に限定せず、例えば接着剤を介して固着したり、又は胴体部の下端に底片を内側へ屈曲して設け、該底片を台座で挟み込んで取付けることも出来る。そして、胴体部上端と表紙保持ケース上端との間には少なくとも一部に段差を形成し、表紙が間に挿入し易くしている。
【発明の効果】
【００１３】
本発明のレンタル用カバーケースは胴体部と台座で構成され、胴体部は薄い透明シートを折り曲げ成形にて製作することが出来、この胴体部に成形された台座を嵌めて取着されている。胴体部はシートを折り曲げて作ることで従来のような高価な成形金型を必要としない為にコストは安くなる。勿論、台座は成形品であるが、小さな部材である為に従来のようなカバーケース全体を成形する金型に比較して安く、２ピース構造としてもトータル的には安くなる。
【００１４】
そして、シートを折り曲げられた胴体部の下端に成形された台座が嵌って取付けられることで、ケース全体の強度・剛性が高くなり、しかも取付けが頑丈であると共に、台座底面は平坦であることからケースは転倒することなく安定して起立することが出来る。又、表紙は胴体部の内側に挿入されるが、表紙保持ケースとの間に挿入されることで胴体部内面に密着し、表紙の文字や模様などが外からはっきり見える。
【００１５】
そして、従来のような折り返し片はない為に、表紙の取付け・取外しは簡単に行うことが出来る。さらに、胴体部を構成するシートはその厚さが薄く、収容される貸出しケース及びコミック雑誌との間に大きな隙間を残すことはなく製作することで、同一サイズの陳列棚には多数のレンタル用カバーケースを配列することが可能と成る。
【実施例】
【００１６】
図１は本発明に係るレンタル用カバーケースを示す実施例である。同図の１は胴体部、２は台座を表わし、該台座２は胴体部１の下端に取着されていて、胴体部１の内部は収容空間３を形成している。ここで、胴体部１は樹脂製の透明シートを所定の形状に裁断し、これを折り曲げ成形して製作される。このように、レンタル用カバーケースは胴体部１と台座２との組み合わせで構成され、胴体部１の収容空間３にはＣＤやＤＶＤを入れた貸出しケース、又はコミック雑誌が収容される。
【００１７】
図２はレンタル用カバーケースの胴体部１を示しているが、該胴体部１は１枚のシートを屈曲して製作した長方形の筒形を成し、正面部４、両側面部５，５、及び背面部６を有し、該背面部６にて溶着されて筒形を構成している。そして両側面部５，５の下端には台座に形成した突片が嵌る為の複数のスリット溝７，７・・を形成している。
【００１８】
図３は台座２を単独で表している具体例である。該台座２の形態は同図に示す場合に限定しないが、嵌入部８と底部９から成り、嵌入部８はその側面１０ａ，１０ａ，１０ｂ，１０ｂが傾斜し、上端は平坦な載置面１１と成っている。底部９は嵌入部８より一回り大きく、嵌入部８の周りには表紙が載る細幅の受け面１２，１２・・を有している。そして、底部９の側面１３，１３には小さな突片１４，１４・・を突出して設けている。
【００１９】
図４は表紙保持ケース１５を示し、この表紙保持ケース１５は長方形の筒形をしている。しかし、寸法は胴体部１に嵌ることが出来る大きさとし、高さは胴体部１に対して２／３程度としている。そして、該表示保持ケース１５は胴体部１に嵌って背面部１６にて固定され、正面部１７及び両側面部１８，１８との間には僅かな隙間を残している。胴体部１との隙間には表紙が挿入される。
【００２０】
ところで、表紙保持ケース１５の上端１９は胴体部１の上端２０に揃えて固定されるが、両側面部１８，１８の上端１９，１９には凸部２１，２１を上方へ突出している。従って、前記図１のように、表紙保持ケース１５が嵌ったレンタル用カバーケースでは、該凸部２１，２１は胴体部１から突出することになる。さらに、側面部１８，１８の正面側上端部は滑らかな円弧２２，２２を形成している。ここで、円弧２２の代わりに斜めに切欠いた形状とすることも可能である。
【００２１】
図５はレンタル用カバーケースの上端部の縦断面を示している。胴体部１に嵌った表紙保持ケース１５は、その側面部１８が胴体部１の側面部５との間に僅かな隙間２３を形成している。そして、上端１９，１９には凸部２１，２１を突出していることで、この凸部２１，２１を圧力Ｐを作用して内側へ押圧することが出来、押圧することで該隙間２３を拡大して表紙を挿入する。
【００２２】
図６はコミック雑誌の表紙２４を上記隙間２３へ挿入する場合を示しているが、コ形断面をした表紙２４は両凸部２１，２１を内側へ押してその両先端側を先に挿入し、その後で正面側２５，２５を挿入する。表紙保持ケース１５の正面部１７と胴体部１の正面部４との間にも同じく隙間２３を有していると共に、側面部１８，１８の正面側上端部には円弧２２，２２を形成している為に、表紙２４の正面側２５はこの円弧２２，２２に沿って隙間２３へ挿入する。ここで、表紙２４の形状はコ形断面に限定せず、Ｌ形断面とする場合もあり、時には平面としてもよい。
【００２３】
隙間２３に挿入されることで、表紙２４は表紙保持ケース１５と胴体部１との間に挟まれて該胴体部１の内面に密着することが出来る。そして、その下端は台座２の受け面１２に載って支持され、その上端は胴体部上端まで達している。このレンタル用カバーケースには貸し出すことが出来るコミック雑誌が入れられるが、該コミック雑誌は台座２の嵌入部載置面１１に載り、その為に上端部は開口から上方へ突出した状態と成る。
【００２４】
ところで、客はレンタル用カバーケースから上端部を突出しているコミック雑誌を抜き取って借りることが出来る。この貸し出し方法については、従来から行われているビデオテープやＣＤ、ＤＶＤのレンタル方法と同じである。
【００２５】
図７は本発明に係るレンタル用カバーケースを示す他の実施例である。このレンタル用カバーケースは前記図１に示すものと基本構造は同じであり、胴体部１、台座２、及び表紙保持ケース１５の３ピースで構成している。台座２は胴体部１の下端に嵌って取付けられ、表紙保持ケース１５は胴体部１と僅かな隙間２３を残して嵌合している。
【００２６】
そして、この実施例のレンタル用カバーケースの場合、胴体部上端の一部が切欠かれて切欠き凹部２６，２６を形成している。これに対して、表紙保持ケース１５の上端はストレートに成っている為に、表紙２４を取付ける場合、切欠き凹部２６，２６を押すことで表紙保持ケース１５の両側面部１８，１８が内側へ撓んで、表紙２４は胴体部１の側面部５と表紙保持ケース１５の側面部１８との間に形成される隙間２３に嵌入することが出来る。
【００２７】
図８は本発明に係るレンタル用カバーケースの他の実施例を示している。このレンタル用カバーケースでは、表紙保持ケース１５の上端に凸部２１，２１を突出しており、前記図１に示したレンタル用カバーケースの場合と同じ形態と成っている。しかし、レンタル用カバーケースの剛性を高める為に、台座の背面側に背板２７を垂直に起立している。
【００２８】
図９は台座２に背板２７を起立してＬ形をした具体例である。台座２の形態は前記図３に示したものと同じで、嵌入部８と底部９を有している。そして台座２から垂直に起立した背板２７の両側には複数の凹溝２８，２８・・が形成され、この凹溝２８，２８・・には表紙保持ケース１５の先端に設けた突片２９，２９・・が嵌合して位置決めされる。
【００２９】
図１０は該表紙保持ケース１５の具体例であり、コ形断面をした表紙保持ケース１５の両側面部１８，１８の先端には複数の突片２９，２９・・を等間隔で設けている。そして、この表紙保持ケース１５を抱き込むように図１１に示すコ形断面をした胴体部１を取付ける。胴体部１の両側面部先端を溶着して背板２７の両側に固定する。この場合、台座背板２７の凹溝２８，２８・・に嵌っている表紙保持ケース１５の突片２９，２９・・と共に溶着され、側面部５，５の下端に形成しているスリット溝７，７・・には底部９の側面から突出している突片１４，１４・・が嵌合して溶着される。このようにして図８に示すレンタル用カバーケースが組み立てられる。
【００３０】
図１２に示すレンタル用カバーケースは、背板２７を起立した台座２を使用し、胴体部１の上端２３，２３を切欠いた切欠き凹部２６，２６を形成した場合である。図１３に示すレンタル用カバーケースの上端部は、胴体部１及び表紙保持ケース１５に関しては前記図１に示すレンタル用カバーケースの場合と同じであるが、台座２の形態を異にしている。
【００３１】
図１４は該レンタル用カバーケースの下端部断面を示しているが、胴体部１に底部３０を設け、この底部３０に台座２を載置して固定し、表紙保持ケース１５を嵌めている。表紙保持ケース１５の側面部１８と胴体部１の側面部５との間には僅かな隙間２３を残し、この隙間２３に表紙２４が挿入される。
【００３２】
図１５は本発明に係る更なる別のレンタル用カバーケースを示す実施例である。上端部の形態は前記図１３に示す場合と同じであるが、下端部形態を異にしている。すなわち、コミック雑誌が載る台座２を表紙保持ケース１５の側面部１８の一部を曲げ成形した構造と成っている。図１６は下端部断面を示しているが、側面部１８の一部を内側へ曲げて載置面１１を形成し、対向する側の表面部１８にて垂直下方へ曲げて胴体部１の底部３０まで達している。
【００３３】
図１７は本発明に係るレンタル用カバーケースの他の実施例であり、図１８はケース下端部断面を示している。同図に示すように、表紙保持ケース１５の下端部を曲げると共に、一部を削除して互いにＸ状に噛み合わせて台座３１を形成している。そして、表紙保持ケース１５の側面部１８と胴体部１の側面部５との間には僅かな隙間２３を形成している。このように、台座の形態は色々あるが、本発明は台座の形態及び取付け構造に関しては限定しない。
【図面の簡単な説明】
【００３４】
【図１】本発明に係るレンタル用カバーケースの実施例。
【図２】レンタル用カバーケースの胴体部。
【図３】レンタル用カバーケースの台座。
【図４】レンタル用カバーケースの表紙保持ケース。
【図５】レンタル用カバーケースの上端部断面。
【図６】レンタル用カバーケースに表紙を挿入する場合。
【図７】本発明に係るレンタル用カバーケースの実施例。
【図８】本発明に係るレンタル用カバーケースの実施例。
【図９】レンタル用カバーケースの背板付き台座。
【図１０】レンタル用カバーケースの表紙保持ケース。
【図１１】レンタル用カバーケースの胴体部。
【図１２】本発明に係るレンタル用カバーケースの実施例。
【図１３】本発明に係るレンタル用カバーケースの実施例。
【図１４】レンタル用カバーケースの下端部断面図。
【図１５】本発明に係るレンタル用カバーケースの実施例。
【図１６】レンタル用カバーケースの下端部断面図。
【図１７】本発明に係るレンタル用カバーケースの実施例。
【図１８】レンタル用カバーケースの下端部断面図。
【図１９】従来のレンタル用カバーケース。
【図２０】従来のレンタル用カバーケースの展開図。
【符号の説明】
【００３５】
１  胴体部
２  台座
３  収容空間
４  正面部
５  側面部
６  背面部
７  スリット溝
８  嵌入部
９  底部
10  側面
11  載置面
12  受け面
13  側面
14  突片
15  表紙保持ケース
16  背面部
17  正面部
18  側面部
19  上端
20  上端
21  凸部
22  円弧
23  隙間
24  表紙
25  正面側
26  切欠き凹部
27  背板
28  凹溝
29  突片
30  底部
31  台座
【図１】
0005225748.tif 000002
【図２】
0005225748.tif 000003
【図３】
0005225748.tif 000004
【図４】
0005225748.tif 000005
【図５】
0005225748.tif 000006
【図６】
0005225748.tif 000007
【図７】
0005225748.tif 000008
【図８】
0005225748.tif 000009
【図９】
0005225748.tif 000010
【図１０】
0005225748.tif 000011
【図１１】
0005225748.tif 000012
【図１２】
0005225748.tif 000013
【図１３】
0005225748.tif 000014
【図１４】
0005225748.tif 000015
【図１５】
0005225748.tif 000016
【図１６】
0005225748.tif 000017
【図１７】
0005225748.tif 000018
【図１８】
0005225748.tif 000019
【図１９】
0005225748.tif 000020
【図２０】
0005225748.tif 000021